(57)【要約】【課題】保持者が初心者であっても容易に装着可能であり携帯にも便利でありながら、容易に縫製式環状子供保持具の環の周長を適切な長さに調節できる手段を持つ為に、子供を様々な姿勢で安全快適に保持できるとともに、保持者の体型の大小や子供の成長に伴う身体の大型化にも対応可能であり、更に安価に製造可能な縫製式環状子供保持具を提供することを課題とする。【解決手段】縫製式環状子供保持具の両縁部に前記環状に平行してベルト通し部を設け、該ベルト通し部に調整ベルトを通し、固定金具に挿通して引き絞り、また緩めた上で前記固定金具にて固定する事で前記保持部の環の周長及び形状を調整可能とする事により、子供を保持した時の密着度及び重心の位置を簡単かつ自由に調整でき、保持者の負担を軽減する事を目的とした縫製式環状子供保持具。【選択図】図１
2005312871.tif 000002
【特許請求の範囲】
【請求項１】
幅広の一枚布を縫製して環状帯を形成し、前記環状帯に子供を包容保持する縫製式環状子供保持具において、
前記環状帯の両縁部に前記環状に平行してベルト通し部を設け、該ベルト通し部に調整ベルトを通し、固定金具に挿通して引き絞り、また緩めた上で前記固定金具にて固定する事で前記保持部の環の周長及び形状を調整可能とする事により、子供を保持した時の密着度及び重心の位置を簡単かつ自由に調整でき、保持者の負担を軽減する事を目的とした縫製式環状子供保持具。
【発明の詳細な説明】
【技術分野】
【０００１】本発明は子供を保持する為の縫製式環状子供保持具に関するものである。
【背景技術】
【０００２】従来子供を抱くための子供保持具としては、背中に背負う形式のものと、体の前方に抱く形式のものとが存在する。前者は、子供の尻から背中を支持するための支持部に様々な形式のものが提案されている。また、後者には、更に子供の抱かれた姿勢により、縦抱きタイプと横抱きタイプのものが存在し、それぞれに様々な形式のものが提案されている。【０００３】しかし、これらの子供保持具に共通して言えることは、子供が常に一定の姿勢を取らされることであり、長時間これらの子供保持具を使用すると、子供の体の特定の部分のみが圧迫されて子供の血行が阻害される恐れがあるという問題点があった。さらに、これらの子供保持具は、特定の姿勢で使用される様に設計されているので、保持されている子供の姿勢を変更できないという問題点があった。【０００４】このような問題点が解決された子供保持具として、特許文献１及び特許文献２に記載された環状子供保持具が挙げられる。これらの文献に記載された環状子供保持具は幅広の布からなる子供保持部に子供を様々な姿勢で保持可能に構成されたものである。
【特許文献１】特許公開２００３−４７５４２
【特許文献２】登録実用新案公報第３０４７６０３号
【０００５】特許文献１は広幅の一枚布の一端にリングが２個固定されており、もう一端を折り畳み縫製にて纏められており、その纏められた布端を２個のリングに通す事により環状となるリング式環状子供保持具である。【０００６】特許文献２は幅広の一枚布を縫製にて環状にした縫製式環状子供保持具である。既に環状に縫製されている為、保持者は装着前にリング式環状子供保持具の様に環状にする手間なく、縫製式環状子供保持具をタスキ掛けに装着し、ベルトを保持者の胴体に巻着し固定する事で装着が完了する。リング式環状子供保持具は折り畳んでも嵩張り、携帯する場合にはその存在をもてあます事がしばしばあるが、縫製式環状子供保持具はコンパクトに畳んで収納できる為、子供が乳母車乗車時等で子供保持具が不要である場合でも容易に携帯しておく事ができ、子供を保持する必要があればすぐに取り出し装着する事ができる。【０００７】両文献とも、子供を様々な姿勢（縦抱き姿勢、横抱き姿勢等）で保持でき、子供の姿勢の変更が容易であり、更に子供を保持したまま授乳行為を行える事が可能な点で、前記した従来の子供保持具に比較して一日の長が認められるが、次に示すような問題点が存在する。
【発明の開示】
【発明が解決しようとする課題】
【０００８】特許文献１は２つのリングに挿通した布端を引き絞るまたは緩める事により、保持部の周長及び形状を変更することができる。しかしリングに挿通した布端は折り畳んで縫製されている為、布を一様に引き絞る事しかできない。例えば特許文献１では子供を保持者の体前方で縦抱きの体勢にする場合及び保持者の体後方でのオンブの体勢する場合、子供を保持部に腰掛ける様に座らせるが、その場合、子供の尻辺りにある布に比べ子供の背中辺りにある布は大きくたるんでいる。この体勢で子供を安全に保持する為には、尻辺りの布を小さく引き絞り背中辺りの布を大きく引き絞る必要があるが、特許文献１では一様に引き絞る事しかできない為、いくら引き絞っても保持された子供の背中は緩んでおり、保持が不十分となる。【０００９】また、リング式環状子供保持具は保持した子供の荷重が掛かっている状態では布の引き絞り及び布の緩めが困難であるため、保持者が動作に慣れない初心者の場合には作業がうまくできず、布が引き絞れず子供の保持ができないか、保持しても子供の保持位置を上昇する事ができず、重心が下がった状態で保持する事になるので、保持者の肩部及び背中部への負担が増大してしまう。【００１０】更に、リング式環状子供保持具は保持の適正な位置が分かりにくく、保持者は毎回適正な位置を探して試行錯誤する必要がある。その上リング式環状子供保持具は子供の保持を解除する場合には保持者は必ず布を緩めなければならないため、適正な位置で保持できたとしても子供を寝かしつけ等で降ろした後、再び装着する為には、前記の動作が毎回必要になってしまう。【００１１】特許文献２は幅広の一枚布を環状に縫製しただけの子供保持具であるため、環の周長を適切な長さに調節できする事ができない。その為に以下の課題が生じており、簡易性及びコンパクト性でリング式環状子供保持具より優れていながらも、利便性・安全性でリング式環状子供保持具に劣るという問題がある。【００１２】特許文献２は環の周長を適切な長さに調節できない為、保持者と子供の密着度を高める事が不可能である。特に子供を保持者の体前方で縦抱きの体勢にする場合及び保持者の体後方でのオンブの体勢する場合、特許文献１と同様子供を保持部に腰掛ける様に座らせるが、密着度を全く調整できない為、背中辺りの布は完全に緩んだ状態となってしまい、保持者が手で支えないと子供が転落する危険がある。その為特許文献２で保持者の体後方で子供を保持する為には、保持者は縫製式環状子供保持具に子供を寝かせた状態で保持する事になる。しかし成長して首がすわった子供は体を反り返りもしくは不用意に暴れ、転落する危険が常にある為、子供を寝かせた状態で保持者の目の届かない体後方に保持する事は危険である。【００１３】また特許文献２で首のすわった子供を保持しながら授乳行為を行う事ができる様にする為には、子供を保持者の体前方で保持部に座らせた状態で子供の口が保持者の胸部に当たる様に製作しなければならない。しかしこの長さは通常子供を保持するには位置が低く、重心が下がっている状態である。特許文献２の様な縫製式環状子供保持具は環の周長を変更できない為、保持者は子供を保持している間、常に肩部及び背中部への負担に耐えなければならない。また保持の負担を軽くする為に重心が高くなるよう全周の短い縫製式環状子供保持具を装着した場合、環の周長を長くする事ができない為、子供を保持した状態での授乳が不可能になる。また保持の体勢によっては縫製式環状子供保持具の余裕が小さすぎて子供を収納できない場合もある。【００１４】更に特許文献２は環の周長を適切な長さに調節できない為、保持者が太った場合や子供の成長により体格が変化した場合に、縫製式環状子供保持具の余裕が小さくなり子供を収納できなくなる場合がある。逆に減量等で保持者が痩せた場合、余裕が大きすぎて保持することができなくなるか、保持の重心が下がり、保持者の負担が増大する可能性がある。【００１５】本発明は、これらの問題に鑑みなされたものであり、保持者が初心者であっても容易に装着可能であり携帯にも便利でありながら、保持者が初心者であっても容易に縫製式環状子供保持具の環の周長を適切な長さに調節できる手段を持つ為に、子供を様々な姿勢で安全快適に保持できるとともに、保持者の体型の大小や子供の成長に伴う身体の大型化にも対応可能であり、更に安価に製造可能な縫製式環状子供保持具を提供することを課題とする。
【課題を解決する為の手段】
【００１６】本発明は、前記の問題点を解決するために次の様に構成した。請求項１の発明は、幅広の一枚布を縫製して環状帯を形成し、前記環状帯に子供を包容保持する縫製式環状子供保持具において、前記環状帯の両縁部に前記環状に平行してベルト通し部を設け、該ベルト通し部に調整ベルトを通し、固定金具に挿通して引き絞り、また緩めた上で前記固定金具にて固定する事で前記保持部の環の周長及び形状を調整可能とする事により、子供を保持した時の密着度及び重心の位置を簡単かつ自由に調整でき、保持者の負担を軽減する事を目的とした縫製式環状子供保持具である。
【００１７】この縫製式環状子供保持具を装着する際には、保持者が本発明の縫製式環状子供保持具を保持者のどちらか一方の片方の肩にタスキ掛けにして、肩当部を保持者の肩に当てれば装着は完了する。
【００１８】子供の保持を行う時には、保持部の開口部から子供を入れ、保持部に寝かせるもしくは座らせる事により保持部内部に収納する。更に縫製式環状子供保持具の保持部の一端に沿って平行に取り付けられた調整ベルトを引き絞る動作だけで、容易に子供と保持者を密着することができる。更に保持部のもう一端に沿って平行に取り付けられた調整ベルトを引き絞る動作だけで、容易に子供の位置を上昇もしくは下降させる事ができる。ベルトは片手で簡単に調整する事ができる為、保持者が初心者の場合でも用意に取り扱える事ができる。
【００１９】この縫製式環状子供保持具は従来の子供保持具の様に子供が特定の姿勢を保持することが要求されないので、子供を様々な姿勢（対面縦抱き、前向き縦抱き、横抱き等）で保持することが可能であり、首の全くすわらない新生児から歩行可能な大型の子供まで保持することが可能である。
【００２０】また、この縫製式環状子供保持具は、保持部の側面部が両端部において蛇腹状に折り畳まれており、この蛇腹は伸縮自在となっているので、小型の子供を保持する際にはこの蛇腹が縮まった状態となり、大型の子供を保持する場合には蛇腹が広がった状態となり、常に、子供の体型、保持される姿勢及び縫製式環状子供保持具中での子供の運動に応じて必要充分な保持空間を提供する。
【００２１】子供の保持を解除する場合、保持者は縫製式環状子供保持具の保持部の両端に沿って平行に取り付けられた調整ベルトを緩め、収納した子供を保持部より取り出す事により簡単に保持を解除する事ができる。
【発明の効果】
【００２２】本発明は前記のように構成したので次に示すような顕著な効果を奏する。本発明の縫製式環状子供保持具は、一枚布があらかじめ環状に縫製されているので、調整が自在にできる保持具でありながらリング式環状子供保持具の様に環状にする為の手順を行う事無くタスキがけするだけで誰でも簡単に装着でき、乳母車乗車時等の不要時にもコンパクトに折り畳んで携帯する事ができる。
【００２３】本発明の縫製式環状子供保持具の両側に取り付けられた２本の調整ベルトを引き絞り、又は緩めるというごく簡単な動作のみで環の周長及び形状を誰でも自在に調整する事ができる。その為、子供を保持部に様々な姿勢で保持可能であり、保持姿勢の変更も容易であるため、保持される子供の身体の一部分にのみ負担が集中することがない。
【００２４】また前記の２本の調整ベルトを引き絞る事だけで、誰でも容易に保持者と子供を密着することができ、更に子供の位置を自在に上下させる事ができるので、常に安全快適に子供を保持することができる。
【００２５】さらに前記の２本の調整ベルトを引き絞り、または緩めるというごく簡単な動作のみで環の周長及び形状を誰でも自在に調整する事ができるので、保持者の体型や子供の身体のサイズに合わせて常に適切な保持空間を提供できる。
【００２６】その上、この縫製式環状子供保持具は、側面部が両端部において蛇腹状に折り畳まれ、伸縮自在となっており、保持される子供の体型の大小、子供の姿勢及び保持部内部での子供の運動に応じてこの蛇腹が開閉することで、常に子供にとって必要十分な保持空間が提供される。また、この蛇腹は、自在に伸縮するので、縫製式環状子供保持具から余分な布が外側にはみ出すことがないので、保持者の移動等により縫製式環状子供保持具が障害物に引っかかることを防止することが可能となる。
【発明を実施するための最良の形態】
【００２７】以下、本発明の実施の形態を図面を用いて説明するが、本発明はこの実施の形態の記載に限定されず、本発明の技術的思想を具現化する種々の変更が加えられうる。【００２８】図１は、縫製式環状子供保持具の正面図、図２は肩当部の中心で切り開いた縫製式環状子守帯の展開図、図３は縫製式環状子供保持具の端部の断面図、図４は縫製式環状子供保持具の肩当部の折り畳み前の展開図、図５は縫製式環状子供保持具の肩当部の断面図、図６及び図７は縫製式環状子守帯の装着図である。【００２９】図１を用いて本発明の縫製式環状子供保持具の説明を行う。尚、図１において破線で表されているのは縫製した部分を表す。本発明の縫製式環状子供保持具１は、幅広の一枚布を環状に縫製し、肩当部２にて布が内側及び外側の両側に開口する様に蛇腹状に折り畳まれ（肩当部２の折り畳み方は図５参照）固定された環状の袋である。肩当部２の蛇腹により形成する袋が子供を保持するための保持部３を形成している。保持部３は本発明の縫製式環状子供保持具１の内側から外側に船底状の形状を有しており、保持者は保持部の開口部３ａより子供を保持部３の内部に収納する。【００３０】保持部３の両端３ｂ及び３ｃには、調整ベルト４ａ及び４ｂが取り付けられている。調整ベルト４ａ及び４ｂは調整ベルト通し部５ａ及び５ｂの内部に通されている。更に調整ベルト４ａ及び４ｂの引き絞り及び緩みの状態を固定する為に、ベルト通し部５ａ及び５ｂの対面の延長線上（肩当部２側）に金具固定部６ａ及び６ｂに固定された固定金具７ａ及び７ｂを有する。【００３１】図２を用いて、調整ベルトの固定方法について説明を行う。図２において破線で表されているのは縫製した部分を表す。ベルト通し部５ａ及び５ｂから出た調整ベルト４ａ及び４ｂの端部を、固定金具７ａ及び７ｂに挿通する事により調整ベルト４ａ及び４ｂはその長さを固定する事ができる。調整ベルト４ａ及び４ｂはベルト通し部５ａ及び５ｂから抜落しない様にベルト通し部５ａ及び５ｂ終端側の調整ベルト４ａ及び４ｂの端部を縫製にて固定されている。固定金具７ａ及び７ｂも抜落しない様に金具固定部６ａ及び６ｂにて縫製固定されている。ベルト通し部５ａ及び５ｂは本発明の縫製式環状子供保持具の保持部端部３ｂ及び３ｃ全体に設けられているので保持部の長さ及び形状を自在に調整する事が可能である。固定金具７ａ及び７ｂ、金具固定部６ａ及び６ｂは装着時前方となる肩当部２ａ終端付近に取り付けると容易に調整ベルト４ａ及び４ｂを引き絞り又は緩めることが可能である。【００３２】図３を用いて調整ベルトの取り付け位置の説明を行う。（但し図３において一方の調整ベルト４ｂは不図示）図３に示す様に本発明の縫製式環状子供保持具の保持部の長さ及び形状が調整できるよう、調整ベルト４ａを通すベルト通し部５ａは保持部の端部３ｂに取り付けられている。また、調整ベルト４ａが端部３ｂを通して子供に当たる感触で保持された子供が不快にならない様、端部３ｂにはクッション綿８を挟み、更に調整ベルト通し５ａの外側にクッション部９が設けられている。【００３３】図４中で１点鎖線及び破線で示したものは肩当部２の折り線である。破線が山折り線を示し１点鎖線が谷折り線を示している。折り線１０ａ、１０ｂ、１０ｃ、１０ｄ、１０ｅ、１０ｆ、１０ｇ、１０ｈ、１０ｉ、１０ｊは一定の間隔でそれぞれ中心軸１１と平行に設けられている。【００３４】次にこれらの折り線１０ａ、１０ｂ、１０ｃ、１０ｄ、１０ｅ、１０ｆ、１０ｇ、１０ｈ、１０ｉ、１０ｊに沿って肩当部２を折り畳む工程について図５を用いて説明を行う。まず、中心軸１１に一番近い折り線１０ｅ及び１０ｆを谷折りに折る。次に折り線１０ｄ及び１０ｇを山折りに折る。この折り線１０ｄ及び１０ｇにより、本発明の縫製式環状子供保持具は内側に開く蛇腹を設ける事ができる。折り線１０ｄ及び１０ｇの延長線が前記保持部の開口部３ａとなる。更に１０ｃ及び１０ｈを山折りに折り、１０ｂ及び１０ｉを谷折りに折り、最後に１０ａ及び１０ｊを山折りに折ることにより、本発明の縫製式環状子供保持具は外側に開く蛇腹を設ける事ができる。この事により、本発明の縫製式環状子守帯の最前面に調整ベルトを取り付ける事ができ、保持者はいつでも調整ベルトに簡単に辿り着く事ができる。さらに、折り線１０ｅ及び１０ｆの間にクッション綿１３を入れることにより、保持者の肩への負担を軽減する事ができる。【００３５】次に図６及び図７により、本発明の縫製式環状子供保持具１の使用方法の説明を行う。図６及び図７において破線で表されているのは縫製した部分を表す。本発明の縫製式環状子供保持具１を装着するには、保持者の前方に調整ベルトが来るようにタスキ掛けに本発明の縫製式環状子供保持具１を装着すれば装着が完了する。本発明の縫製式環状子供保持具１は、保持者の使用肩を選ばないのでどちらの肩で使用しても良い。【００３６】本発明の縫製式環状子供保持具１を使用するには、保持者が装着した縫製式環状子供保持具１の保持部の開口部３ａより子供を所定の姿勢で収納する。本発明の縫製式環状子供保持具１は子供に特定の姿勢を強要するものではないので、様々な姿勢で子供を保持することが可能である。【００３７】図６は、首の据わっていない子供を保持するための所謂「横抱き」である。横抱きにおいては、保持者は子供を調整ベルト４ａ側より上向きに収納し、保持部３において寝かせる。調整ベルト４ａ及び４ｂを適宜引き絞れば、保持者は首の全く座らない新生児でも手で支える事無く保持することができる。（尚、図６においては、子供は保持部３に包まれた状態となっているために、図示されていない。）子供の体重は、子供の背面全体で支持されるので、子供の身体の一部分に荷重が集中することが避けられる。更に調整ベルトは自在に調整が可能であるので、調整ベルト４ａを大きく引き絞れば子供の上体を起こした形で保持することができ、首の座らない子供を縦抱き状態で保持する事ができる。また子供が保持中に寝てしまった場合は、調整ベルト４ａを緩める事により子供を上向きに寝かせる事ができ、そのまま布団等に下ろす事が可能である。【００３８】図７は首の据わった大型の子供を保持するための「対面縦抱き」である。対面縦抱きにおいては、保持者は子供を調整ベルト４ａ側上部より保持者と対面した姿勢で保持部３に深く腰掛ける様に座らせ、調整ベルト４ｂ側を子供の膝裏に来るように広げる。このように対面縦抱きにおいては、子供の体重は子供の尻全体で支持されるので、子供の身体の一部分に荷重が集中することが避けられる。更に調整ベルト４ａを引き絞るだけで子供は保持者に容易に密着する。そして、調整ベルト４ｂを引き絞るだけで、子供の位置が上昇し、それにより保持の重心も上昇するので保持者への負担が軽減する事ができる。更に、保持者は両手で保持部３を抱えながら保持者の体の後方に移動させるだけでオンブをする事ができる。また、授乳時の場合は調整ベルト４ｂを緩めて子供の位置を下降させ、子供の口が保持者の胸に当たるように調整すれば安全に保持したまま授乳も簡単に行う事ができる。調整ベルトは子供の荷重が掛かっている限り緩む事はないので、子供が不意に反り返るなどの行為をしても、転落する危険は無く、保持者は常に安全に子供を保持することができる。【００３９】本発明の縫製式環状子供保持具１はこのように新生児から歩行が可能になった大型の子供まで使用することが可能である。また、前記した使用方法に共通して、肩当部２にて折り畳まれた蛇腹状の布が子供の保持姿勢や体型に応じて適宜開閉するので、不必要な布が縫製式環状子供保持具１の外側にはみ出すことがないとともに、子供にとって必要充分な保持空間が提供される。さらに、両側の調整ベルト４ａ及び４ｂを引き絞るだけで保持中の子供は常に保持者と密着する事ができ、子供にとって快適な空間が提供される。
【図面の簡単な説明】
【００４０】
【図１】縫製式環状子供保持具を示した正面図である。
【図２】肩当部の中心で切り開き展開した縫製式環状子供保持具を示した平面図である。
【図３】縫製式環状子供保持具保持部の端部を示した断面図である。
【図４】縫製式環状子供保持具の肩当部の折り畳み前を示した平面図である。
【図５】縫製式環状子供保持具の肩当部を示した断面図である。
【図６】縫製式環状子供保持具を横抱きで装着した様子を示した平面図である。
【図７】縫製式環状子供保持具を対面縦抱きで装着した様子を示した平面図である。
【符号の説明】
【００４１】１は縫製式環状子供保持具
２は肩当部
２ａは肩当部前面
２ｂは肩当部後面
３は保持部
３ａは保持部開口部
３ｂ、３ｃは保持部端部
４ａ、４ｂは調整ベルト
５ａ、５ｂは調整ベルト通し
６ａ、６ｂは金具固定部
７ａ、７ｂは固定金具
８は保持部側面内部のクッション綿
９はクッション部
１０ａ、１０ｂ、１０ｃ、１０ｄ、１０ｅ、１０ｆ、１０ｇ、１０ｈ、１０ｉ、１０ｊは折り線
１１は中心軸
１２ａ、１２ｂは肩当部布端
１３は肩当部内部のクッション綿
【図１】
2005312871.tif 000003
【図２】
2005312871.tif 000004
【図３】
2005312871.tif 000005
【図４】
2005312871.tif 000006
【図５】
2005312871.tif 000007
【図６】
2005312871.tif 000008
【図７】
2005312871.tif 000009